(57)【要約】  ＭＳ（１０３）にＦ−ＰＤＣＨサービスを提供及び維持する必要に対処するための種々の実施形態を本明細書に記載する。継続されたデータ伝送サービスにおいてＭＳがサービング・セル（１３２）のＦ−ＰＤＣＨからターゲット・セル（１４２）のＦ−ＰＤＣＨへ切り替えようとするとの表示を受信すると、ネットワーク機器（例えば、ＢＳ１２０，１３０，１４０）は、ＭＳにＦ−ＰＤＣＨサービスを提供するためにターゲット・セルが現在利用可能であるか否かを判定する。選択されたセルがＭＳに対するＦ−ＰＤＣＨサービスをサポートできないとき（例えば、Ｆ−ＰＤＣＨ負荷、サービス品質の要件等）、ネットワーク機器はＭＳに対し、ＭＳにＦ−ＰＤＣＨデータ伝送サービスを提供するためにターゲット・セルが現在利用可能でないとの表示を送信する。したがってＭＳは選択されたセルへの切り替えを中止することにより、Ｆ−ＰＤＣＨサービスを喪失することがない。
2007506358.tif 000002
【特許請求の範囲】
【請求項１】
移動体通信システムにおいて移動局（ＭＳ）に順方向パケット・データ・チャネル（Ｆ−ＰＤＣＨ）サービスを提供する方法であって、
移動体通信システムのセルにより、Ｆ−ＰＤＣＨを介してデータ伝送サービスを提供するサービス提供工程と、
セルがＦ−ＰＤＣＨを介してＭＳにデータ伝送サービスを提供しないことをＭＳに表示する表示工程とからなる方法。
【請求項２】
サービス提供工程はＭＳにデータ伝送サービスを提供する工程を含み、
表示工程は、セルにより、セルがＦ−ＰＤＣＨを介してＭＳにデータ伝送サービスを提供しないことを表示する工程を含む請求項１に記載の方法。
【請求項３】
表示工程はセルがＦ−ＰＤＣＨをサポートしないことを表示するチャネル割当メッセージをＭＳに送信する工程を含む請求項１に記載の方法。
【請求項４】
表示工程はセルがＭＳのアクティブセットの一部でないことを表示するチャネル割当メッセージをＭＳに送信する工程を含む請求項１に記載の方法。
【請求項５】
移動体通信システムにおいて移動局（ＭＳ）に順方向パケット・データ・チャネル（Ｆ−ＰＤＣＨ）サービスを提供する方法であって、
ソース基地局（ＢＳ）により、順方向パケット・データ・チャネル（Ｆ−ＰＤＣＨ）を介してＭＳに伝送のためのデータを提供するデータ提供工程と、
ＭＳがサービング・セルのＦ−ＰＤＣＨからデータ伝送サービスのターゲット・セルのＦ−ＰＤＣＨへ切り替えようとすることの表示を受信する表示受信工程と、
ターゲット・セルのＦ−ＰＤＣＨを介してＭＳにデータ伝送サービスを提供するためにターゲット・セルが現在利用可能であるか否かを判定する利用可能性判定工程と、
ターゲット・セルのＦ−ＰＤＣＨを介してＭＳにデータ伝送サービスを提供するためにターゲット・セルが現在利用可能でないことの表示をＭＳに送信する表示送信工程とからなる方法。
【請求項６】
表示送信工程はターゲット・セルがＦ−ＰＤＣＨをサポートしないことを表示するユニバーサル・ハンドオフ・ディレクション・メッセージ（ＵＨＤＭ）を送信する工程を含む請求項５に記載の方法。
【請求項７】
表示送信工程はターゲット・セルがＭＳのアクティブセットの一部でないことを表示するユニバーサル・ハンドオフ・ディレクション・メッセージ（ＵＨＤＭ）を送信する工程を含む請求項５に記載の方法。
【請求項８】
移動体通信システムにおいて移動局（ＭＳ）の順方向パケット・データ・チャネル（Ｆ−ＰＤＣＨ）サービスを維持する方法であって、
ＭＳにより、サービング・セルの順方向パケット・データ・チャネル（Ｆ−ＰＤＣＨ）を介してサービング・セルからデータ伝送サービスを受信するサービス受信工程と、
ＭＳにより、ターゲット・セルのＦ−ＰＤＣＨを介してデータ伝送サービスのターゲット・セルに切り替えることを判定するセル切替判定工程と、
ＭＳにより、ＭＳがターゲット・セルに切り替えようとすることの表示を伝送する表示伝送工程と、
ＭＳにより、ターゲット・セルのＦ−ＰＤＣＨを介してＭＳにデータ伝送サービスを提供するためにターゲット・セルが現在利用可能でないことの表示を受信する表示受信工程とからなる方法。
【請求項９】
基地局トランシーバ・システム（ＢＴＳ）と、ＢＴＳに通信可能に接続された基地局コントローラ（ＢＳＣ）とからなる基地局（ＢＳ）であって、
基地局トランシーバ・システム（ＢＴＳ）が、順方向パケット・データ・チャネル（Ｆ−ＰＤＣＨ）を介するデータ伝送を含む通信サービスを移動局（ＭＳ）に提供することと、
基地局コントローラ（ＢＳＣ）が、
Ｆ−ＰＤＣＨを介してＭＳにＢＴＳによる伝送のためのデータを提供することと、
ＭＳがＦ−ＰＤＣＨからデータ伝送サービスのターゲット・セルのＦ−ＰＤＣＨへ切り替えようとすることの表示をＢＴＳを介して受信することと、
ターゲット・セルのＦ−ＰＤＣＨを介してＭＳにデータ伝送サービスを提供するためにターゲット・セルが現在利用可能であるか否かを判定することと、
ターゲット・セルのＦ−ＰＤＣＨを介してＭＳにデータ伝送サービスを提供するためにターゲット・セルが現在利用可能でないことの表示をＢＴＳを介してＭＳに送信することとを含む基地局。
【請求項１０】
トランシーバと、トランシーバに通信可能に接続されたプロセッサとからなる移動局（ＭＳ）であって、
プロセッサが、
サービング・セルの順方向パケット・データ・チャネル（Ｆ−ＰＤＣＨ）を介してサービング・セルからデータ伝送サービスをトランシーバを介して受信することと、
ターゲット・セルのＦ−ＰＤＣＨを介してサービング・セルからデータ伝送サービスのターゲット・セルに切り替えることを判定することと、
ＭＳがターゲット・セルに切り替えようとすることの表示をトランシーバを介して伝送することと、
ターゲット・セルのＦ−ＰＤＣＨを介してＭＳにデータ伝送サービスを提供するためにターゲット・セルが現在利用可能でないことの表示をトランシーバを介して受信することとを含む移動局。
【請求項１１】
ターゲット・セルのＦ−ＰＤＣＨを介してＭＳにデータ伝送サービスを提供するためにターゲット・セルが現在利用可能であるか否かを判定することは、ターゲット・セルのＦ−ＰＤＣＨを介してＭＳにデータ伝送サービスを提供するためにターゲット・セルが現在利用可能でないことの表示を受信することを含む請求項９に記載の基地局。
【請求項１２】
ターゲット・セルのＦ−ＰＤＣＨを介してＭＳにデータ伝送サービスを提供するためにターゲット・セルが現在利用可能であるか否かを判定することは、ＭＳがデータ伝送サービスのターゲット・セルのＦ−ＰＤＣＨへ切り替えようとすることの表示をターゲットＢＴＳに送信することを含む請求項９に記載の基地局。
【請求項１３】
ターゲット・セルのＦ−ＰＤＣＨを介してＭＳにデータ伝送サービスを提供するためにターゲット・セルが現在利用可能であるか否かを判定することは、ターゲット・セルがＦ−ＰＤＣＨをサポートしないことを表示するユニバーサル・ハンドオフ・ディレクション・メッセージ（ＵＨＤＭ）をＢＴＳを介して送信することを含む請求項９に記載の基地局。
【請求項１４】
ターゲット・セルのＦ−ＰＤＣＨを介してＭＳにデータ伝送サービスを提供するためにターゲット・セルが現在利用可能であるか否かを判定することは、ターゲット・セルがＭＳのアクティブセットの一部でないことを表示するユニバーサル・ハンドオフ・ディレクション・メッセージ（ＵＨＤＭ）をＢＴＳを介して送信することを含む請求項９に記載の基地局。
【請求項１５】
ターゲット・セルのＦ−ＰＤＣＨを介してＭＳにデータ伝送サービスを提供するためにターゲット・セルが現在利用可能であるか否かを判定することは、サービング・セルの順方向パケット・データ制御チャネル（Ｆ−ＰＤＣＣＨ）を介してＭＳに表示を送信することを含む請求項９に記載の基地局。
【請求項１６】
ターゲット・セルのＦ−ＰＤＣＨを介してＭＳにデータ伝送サービスを提供するためにターゲット・セルが現在利用可能でないことの表示は、ターゲット・セルがＦ−ＰＤＣＨをサポートしないことを表示するユニバーサル・ハンドオフ・ディレクション・メッセージ（ＵＨＤＭ）を含む請求項１０に記載の移動局。
【請求項１７】
ターゲット・セルのＦ−ＰＤＣＨを介してＭＳにデータ伝送サービスを提供するためにターゲット・セルが現在利用可能でないことの表示は、ターゲット・セルがＭＳのアクティブセットの一部でないことを表示するユニバーサル・ハンドオフ・ディレクション・メッセージ（ＵＨＤＭ）を含む請求項１０に記載の移動局。
【発明の詳細な説明】
【技術分野】
【０００１】
本発明は移動体通信システムに関する。より詳細には、本発明は移動体通信システムにおけるＦ−ＰＤＣＨサービスの提供及び維持に関する。
【背景技術】
【０００２】
アクティブ１ｘＥＶ−ＤＶ呼（ＲＣ  １０）を用いるＩＳ−２０００−Ｃ移動体は、アクティブセットの１つのサービング・セルからＦ−ＰＤＣＨ上にて順方向のパケット・データを受信する。この移動体は現在のサービング・セル、即ち、この移動体に対しＦ−ＰＤＣＨ資源を割り当てたセルのパイロット強度を測定するとともに、そのサービング・セルのＣＱＩＣＨ＿ＣＯＶＥＲが適用されているＲ−ＣＱＩＣＨチャネル上にて、セルのキャリア／干渉（Ｃ／Ｉ）測定値を１．２５ｍｓ毎に報告する。また、この移動体は、アクティブセットの他のセル／セクタのパイロット強度も監視する。
【０００３】
移動局は、アクティブセットにおいて現在のサービング・セルより強力なターゲット・セル（Ｆ−ＰＤＣＨをサポートする）が利用可能であると判定するとき、ナンバ・ソフター・スイッチング・フレーム（ＮＵＭ＿ＳＯＦＴＥＲ＿ＳＷＩＴＣＨＩＮＧ＿ＦＲＡＭＥＳ）又はナンバ・ソフト・スイッチング・フレーム（ＮＵＭ＿ＳＯＦＴ＿ＳＷＩＴＣＨＩＮＧ＿ＦＲＡＭＥＳ）のパラメータにより指定されるように、Ｒ−ＣＱＩＣＨ上にて固定数の２０ｍｓフレーム（フレームあたり１６スロット）の独特なスイッチング・パターンを伝送することにより、セクタ／セル切替手続を開始する。スイッチング期間中、移動体のＲ−ＣＱＩＣＨ伝送は、非スイッチング・スロットの現在のサービング・セルのＣＱＩに加え、ＴＩＡ−２０００−ＣのＣＱＩ反復、スイッチング・スロット数及びパイロット・ゲーティング・パラメータ（ＲＥＶ＿ＣＱＩＣＨ＿ＲＥＰＳ，ＮＵＭ＿ＳＯＦＴ／ＳＯＦＴＥＲ＿ＳＷＩＴＣＨＩＮＧ＿ＳＬＯＴ等）により指定されるように、２０ｍｓフレーム内の指定数の１．２５ｍｓスロットにターゲット・セルのＣＱＩＣＨ＿ＣＯＶＥＲを組み込むように変更される。詳細は、ＴＩＡ−２０００．３−Ｃ及びＴＩＡ−２０００．５−Ｃにて参照される。
【０００４】
このことはセル選択として知られている。セル選択では、移動体がより強力なターゲット・セルに切り替えてＦ−ＰＤＣＨデータ伝送を受信することがシグナリングされる。サービング・セル及びターゲット・セルは、その呼のソースＢＳＣ（アンカーされた（ａｎｃｈｏｒｅｄ）ＳＤＵを備える）又は異なる「ターゲット」ＢＳＣにより制御される場合がある（詳細はＴＩＡ−２００１−Ｃを参照）。指定期間を通じたスイッチング・パターンの伝送後、移動体はサービング・セルのＦ−ＰＤＣＣＨにおけるデータの監視を停止し、ターゲット・セルのＦ−ＰＤＣＣＨ／Ｆ−ＰＤＣＨ伝送においてデータの監視を開始する。他のトラフィック・チャネルがネットワークにより割り当てられるのとは異なり、Ｆ−ＰＤＣＨは移動体自身により選択される。何らかの理由のため、選択されたターゲット・セルが移動体に対し資源を割り当てることができない場合（Ｆ−ＰＤＣＨ容量、ＱｏＳ要件、ユーザ申込（ｓｕｂｓｃｒｉｐｔｉｏｎ）、バックホール（ｂａｃｋｈａｕｌ）負荷等）、ＴＩＡ−２０００−Ｃでは、移動体によるターゲット・セルのＦ−ＰＤＣＨ資源の選択及び切替をネットワークが停止し得るような手続は指定されない。この標準規格では、セル選択及び切替を承認又は拒否するためにネットワークからシグナリングするエア・インタフェースを用いずに、ＭＳがより強力なターゲット・セルに切り替えることが可能である。ターゲット・セルが移動体の呼をサポートすることができない場合、その移動体への順方向データ伝送は品質低下するか又は途絶し、パケット・データ呼の故障を生じ得る。
【発明の開示】
【発明が解決しようとする課題】
【０００５】
したがって、選択されたセルが移動体の継続中の呼をサポートすることができないとき、Ｆ−ＰＤＣＨサービスを提供及び維持するための装置及び方法が必要である。
【課題を解決するための手段】
【０００６】
ＭＳにＦ−ＰＤＣＨサービスを提供及び維持する必要に対処するための種々の実施形態を、本明細書に記載する。継続されたデータ伝送サービスにおいてＭＳがサービング・セルのＦ−ＰＤＣＨからターゲット・セルのＦ−ＰＤＣＨへ切り替えようとすることの表示を受信すると、ネットワーク機器は、ＭＳにＦ−ＰＤＣＨサービスを提供するためにターゲット・セルが現在利用可能であるか否かを判定する。選択されたセルがＭＳに対するＦ−ＰＤＣＨサービスをサポートすることができないとき（Ｆ−ＰＤＣＨ負荷、ＭＳのデータレート要件、サービス品質の要件、ユーザ申込発行等）、ネットワーク機器はＭＳに対し、ＭＳにＦ−ＰＤＣＨデータ伝送サービスを提供するためにターゲット・セルが現在利用可能でないことの表示を送信する。したがって、ＭＳは選択されたセルへの切り替えを中止することにより、Ｆ−ＰＤＣＨサービスを喪失することがない。
【発明を実施するための最良の形態】
【０００７】
開示の実施形態は図１〜５を参照することにより、さらに完全に理解され得る。図１は、本発明の複数の実施形態による移動体通信システム１００のブロック図である。通信システム１００は、米国電気通信工業会／米国電子機械工業会（ＴＩＡ／ＥＩＡ）標準規格ＩＳ−２０００及びＩＳ−２００１に基づく、周知の符号分割多重接続（ＣＤＭＡ）システム、詳細には、ＣＤＭＡ２０００システムであり、本発明を実施するように適切に変更されている。本発明の代替の実施形態は、以下に限定されないが、移動体主導のセル選択を行う技術等、他の技術を用いる通信システムにて実施され得る。
【０００８】
図１には、システム１００の動作に必要なネットワーク機器が必ずしも全ては示されておらず、本発明の実施形態の説明に特に関係するシステム構成要素及び論理エンティティのみが示されていることが、当業者には認められるであろう。例えば、システム１００のネットワーク機器には、基地局（ＢＳ）１２０，１３０，１４０と、ＢＳ間ネットワーク１５０とが含まれる。ＢＳ間ネットワーク１５０は、Ａ３，Ａ７等のシグナリング・プロトコルをサポートする。ＢＳが基地局コントローラ（ＢＳＣ）及び基地局トランシーバ・システム（ＢＴＳ）等の構成要素を備えることは周知である。
【０００９】
さらに、ＢＴＳ１２２，１２３，１３２，１３３，１４２，１４３等のＢＴＳが無線カバレッジ領域、即ち、セルを提供することは周知である。セル内では、移動局（ＭＳ）１０３，１０４等のＭＳは無線サービスを取得できる。無線カバレッジ領域は特定の実装に応じてセル又はセルのセクタと呼ばれるため、当業者には、用語「セル」はセル内のオムニセルを表すものとして、又は複数のセクタにセクタ化されたセル内の個々のセクタを表すものとして理解されるであろう。
【００１０】
ＭＳプラットフォームは周知であるが（例えば、移動体電話、コンピュータ、パーソナル・デジタル・アシスタント及びゲーム・デバイス等）、ＭＳ１０３はプロセッサ１０１、トランシーバ１０２、キーパッド（図示せず）、スピーカ（図示せず）、マイクロホン（図示せず）及びディスプレイ（図示せず）を備える。ＭＳに用いられるプロセッサ、トランシーバ、キーパッド、スピーカ、マイクロホン及びディスプレイは、当該技術分野において周知である。例えば、プロセッサがマイクロプロセッサ、メモリ・デバイス及び論理回路のうちの１つ以上等、基本的な構成要素を備えることは周知である。通常、そうしたＭＳ構成要素は、例えば、コンピュータ命令等の高度設計言語又は記述及び論理フロー図のうちの１つ以上により論理的に表現されているアルゴリズムを実装するように適合さ
れている。したがって、アルゴリズム、論理フロー、メッセージ・フロー及びプロトコル仕様のうちの１つ以上が与えられると、当業者には、与えられた論理を実行するＭＳの実装に利用可能な多くの設計・開発手法が認識される。したがって、ＭＳ１０３は、本明細書の記載により本発明の実施形態を実装するように適合されている、公知のＭＳを表す。
【００１１】
同様に、ＢＳプラットフォームは周知であるが、ＢＳ１２０，１３０，１４０を、それぞれＢＳＣ１２１，１３１，１４１と、ＢＴＳ１２２，１２３，１３２，１３３，１４２，１４３とを備えるように図１に示す。一般に、ＢＳＣ及びＢＴＳ等の構成要素は周知である。例えば、ＢＳＣ及びＢＴＳの両方がマイクロプロセッサ、メモリ・デバイス及び論理回路のうちの１つ以上等、基本的な構成要素を備えることは周知である。したがって、アルゴリズム又は論理フローが与えられると、当業者には、与えられた論理を実行するプロセッサ及びネットワーク・インタフェースの実装に利用可能な多くの設計・開発手法が認識される。したがって、ＢＳ１２０，１３０，１４０は、本明細書の記載により本発明の実施形態を実装するように適合されている、公知のＢＳを表す。
【００１２】
ＢＳ１３０，１４０（詳細にはＢＴＳ１３２，１４２）は、それぞれエア・インタフェース１１０，１１２を介しＭＳ１０３，１０４と通信する。エア・インタフェース１１０，１１２は各々、Ｆ−ＰＤＣＨ及びＦ−ＰＤＣＣＨ等の複数の通信チャネルを有する順方向リンク（図示せず）と、Ｒ−ＣＱＩＣＨ及び逆方向リンク接続チャネル等の複数の通信チャネルを有する逆方向リンク（図示せず）とを備える。エア・インタフェース１１１は、Ｒ−ＣＱＩＣＨシグナリング等、ＢＴＳ１４２によって受信される場合もあるＭＳ１０３のシグナリングと、ＢＴＳ１４２からＭＳ１０３への任意の基底（ｆｕｎｄｉｃａｔｅｄ）シグナリングとを表す。本発明の複数の実施形態では、エア・インタフェース１１０〜１１２は、本明細書に記載の実施形態により変更される範囲を除いて、ＩＳ−２０００チャネルの動的に変化するグループと、ＩＳ−２０００準拠シグナリングとからなる。
【００１３】
図２〜５のメッセージ・フロー図に注目して、本発明の実施形態をさらに説明する。しかしながら、図２〜５のソースＢＳ、サービングＢＳ及びターゲットＢＳを、それぞれ、ＢＳ１２０，１３０及び１４０として示しているため、図１は参照として有用である。また、本明細書を通じて、サービングＢＳ１３０及びサービング・セル（即ち、ＢＴＳ１３２）によりサービス提供され、かつ、ターゲットＢＳ１４０のターゲット・セル（即ち、ＢＴＳ１４２）を選択している移動体として表されるのは、ＭＳ１０３である。ＢＳ１４０及びＢＴＳ１４２はＭＳ１０３のターゲットＢＳ及びターゲット・セルであり、ＭＳ１０４のサービングＢＳ及びサービング・セルでもある。ＭＳ１０４は、ＢＴＳ１４２がＦ−ＰＤＣＨを介してデータ伝送サービスを提供し得る、他のＭＳを表す。したがって、ＢＴＳ１４２はＦ−ＰＤＣＨを使用可能であるが、Ｆ−ＰＤＣＨ負荷、ＭＳ１０３のデータレート要件、サービス品質の要件及びユーザ申込発行等に関連する理由のため、ＭＳ１０３のＦ−ＰＤＣＨの必要をさらにサポートすることは不可能である。
【００１４】
従来技術においては、サービング・セル及びターゲット・セルのいずれも移動体の自律的なターゲット・セルの選択・切替を停止させることはできない。現在のＴＩＡ−２０００−Ｃ仕様では、セル選択を承認又は拒否するネットワークからのシグナリングを用いることなく、ＭＳがより強力なターゲット・セルに切り替えることが可能である。さらに、移動体が別のセルを再選択する要件は存在しないため、単に呼が欠落する場合がある。また、移動体が別のセルを再選択する場合には、これに続くセル選択期間中のデータが損失する。したがって、現在のサービング・セルに留まる方が、又は、元の選択されたセルより強力でないとはいえ、呼の要件をサポートすることができる代替のセルを選択する方が、移動体には好適であると考えられる。本発明の実施形態では、ターゲット・セル又はサービング・セルがＭＳにＦ−ＰＤＣＨデータ伝送サービスを提供しないこと又は提供を継続しないことを表示するシグナリングが、ＭＳ１０３等の移動体に対し与えられる。
【００１５】
図２は、本発明の第１の実施形態によるメッセージ・フロー図２００である。同様に、図３は、本発明の第２の実施形態によるメッセージ・フロー図３００である。メッセージ・フローを詳細に説明する前に、以下の点を説明する。
【００１６】
セルＡ（ＢＴＳ１３２）は予め移動体（ＭＳ１０３）により選択されている。
セルＡは、ＢＳＣ−ＢＴＳシグナリング（Ａｂｉｓシグナリング等）又はＢＳＣ間シグナリングを介してソースＢＳＣ１２１からデータを受信し、そのデータをＦ−ＰＤＣＨを介してＭＳに伝送する。ソースＢＳＣ１２１は、制御選択分配器（ＳＤＵ）を備える。
【００１７】
サービング・セルＡ及びターゲット・セルＢ（アクティブセットより）は同じＢＳＣ又は異なるＢＳＣにより制御され得る。サービング・セル及びターゲット・セルはソースＢＳＣ（アンカーされたＳＤＵ）により制御されてもよく、１つ以上の他のＢＳＣにより制御されてもよい。
【００１８】
セルＡ及びセルＢのうちの少なくとも一方がソースＢＳＣの制御下にある場合、セルに対するシグナリングはＢＳＣ−ＢＴＳシグナリング・リンク（Ａｂｉｓ）を介して生じる。サービング・セル又はターゲット・セルが異なるＢＳＣにより制御される場合、ＢＳＣ間シグナリングは、Ａ３／Ａ７リンク及びターゲットＢＳＣ−ＢＴＳリンクを介して生じる。
【００１９】
サービング・セルＡは、ターゲット・セルＢが移動体により選択された（拡張されたアクティブセットのセル／セクタのＣＱＩＣＨ＿ＣＯＶＥＲがスイッチング・スロットに対し適用された）時を検出することができる。また、ターゲット・セルＢも、自身のＣＱＩＣＨ＿ＣＯＶＥＲを移動体のＲ−ＣＱＩＣＨスイッチング・スロットに対し適用することにより自身が選択された時を検出できてよい。
【００２０】
ソースＢＳＣは、サービング・セルＡ及びターゲット・セルＢのうちの少なくとも一方（第１及び第２の実施形態）からのセル選択通知に基づき、セル選択手続を開始する。
ソースＢＳＣからターゲットＢＳＣへのＡ３接続の事前設定は、セルがアクティブセットに追加される時に生じる。
【００２１】
メッセージ２０１：移動体のＲ−ＣＱＩＣＨ伝送にはセルＡのＣＱＩが含まれる。ソースＢＳＣ（アンカーされたＳＤＵ）は、ベアラ接続を介してＰＤＳＮからセルＡへパケット・データを転送する。現在のサービング・セルＡは、Ｆ−ＰＤＣＨチャネルを介して移動体へパケット・データを送信する。
【００２２】
メッセージ２０２：移動体は、Ｆ−ＰＤＣＨをサポートするターゲット・セルＢ（現在のアクティブセットより）のパイロットが現在のサービング・セルＡより強力な信号であることを検出する。移動体は、Ｒ−ＣＱＩＣＨスロットにセルＢのＣＱＩＣＨ＿ＣＯＶＥＲを適用することにより、Ｆ−ＰＤＣＨデータ伝送のためにセルＢを選択することをシグナリングする。
【００２３】
次に、ターゲット・セルが移動体の選択を拒否する。この拒否がソースＢＳＣに対して示される手法において、第１の実施形態（図２）は第２の実施形態（図３）と異なる。
メッセージ２０３：ターゲット・セルＢは移動体のＲ−ＣＱＩＣＨスイッチング・スロットを復号し、移動体がＦ−ＰＤＣＨ伝送のためにターゲット・セルＢを選択したことを判定する（ソフト／ソフター・スイッチング・フレームの後）。ターゲット・セルＢは、ターゲット・セルＢが移動体のパケット・データ呼をサポートすることができない（Ｆ−ＰＤＣＨ容量、ＱｏＳ、その他の理由のため）ことを、ソースＢＳＣ（アンカーされたＳ
ＤＵを備える）にシグナリングすることにより応答する。
【００２４】
メッセージ３０３（図３を参照）：現在のサービング・セルＡはＲ−ＣＱＩＣＨスイッチング・スロットにて移動体のターゲット・セルＢのセル選択を検出し、ソースＢＳＣへのシグナリング・リンクを介してソースＢＳＣ（ＳＤＵ）にシグナリングする。ソースＢＳＣは、ターゲット・セルＢが移動体により選択されたことを、シグナリング・リンクを介してターゲット・セルＢに通知する。ターゲット・セルＢは呼をサポートすることができないことを示すことにより応答する。
【００２５】
ターゲット・セルは、移動体によりターゲット・セルが選択されたことを認識する手法に関わらず、その呼のソースＢＳＣにセル選択の拒否を示す。
メッセージ２０４：ソースＢＳＣは、セルＢがＦ−ＰＤＣＨをサポートしないことを表示するように変更した拡張アクティブセット記録［ＥＸＴ＿ＡＣＴＩＶＥ＿ＳＥＴ＿ＲＥＣＯＲＤ：ＦＯＲ＿ＰＤＣＨ＿ＩＮＣＬＢ＝０（ここで、ＦＯＲ＿ＰＤＣＨ＿ＩＮＣＬＢは、セルＢに対するフィールドである）］を含む、ＩＳ−２０００−Ｃユニバーサル・ハンドオフ・ディレクション・メッセージ（Ｕｎｉｖｅｒｓａｌ  Ｈａｎｄｏｆｆ  Ｄｉｒｅｃｔｉｏｎ  ｍｅｓｓａｇｅ）を構築するか、又は、アクティブセットからセルＢを完全に取り除き、セルＢへのシグナリング・リンクを介してセルＢにメッセージを転送する。移動体がセル切替を実行する前に、移動体にターゲット・セルの選択を中止させるように、高速な動作時間が選択される。なお、呼に対し割り当てられた順方向基底チャネルがソフト・ハンドオフ中である（ＩＳ−２０００−Ｃチャネル構成３，４，５，６）場合、他のターゲット・セルにもメッセージが送信され得る。
【００２６】
メッセージ２０５：サービング・セルＡは移動体にＴＩＡ−２０００．５  ＵＨＤＭシグナリング・メッセージを送信する（Ｆ−ＰＤＣＨ又は順方向基底チャネルを介して）。
メッセージ２０６：移動体はターゲット・セルＢの選択を中止し、ターゲット・セルＢへのセル切替を実行しない。移動体は、Ｒ−ＣＱＩＣＨスイッチング・スロットへのターゲット・セルＢのＣＱＩＣＨ＿ＣＯＶＥＲの適用を停止する。移動体はアクティブセットの代替のターゲット・セルを選択してもよく、現在のサービング・セルの選択を継続してもよい。或いは、ネットワークがより強力なターゲット・セルへのハード・ハンドオフを実行してもよい。
【００２７】
図４は、本発明の第３の実施形態によるメッセージ・フロー図４００である。ＭＳにＦ−ＰＤＣＨデータ伝送サービスを提供するためにターゲット・セルが現在利用可能でないことを移動体に示す手法において、第３の実施形態は第１及び第２の実施形態と異なる。ＵＨＤＭメッセージの代わりに、図４に示すメッセージ（メッセージ４０４）等のメッセージが用いられる。
【００２８】
メッセージ４０４：ＲＡＮは移動体にメッセージ／信号を送信し、移動体にターゲット・セルの選択の中止を要求する。これに加えて、このメッセージにガード期間（ｇｕａｒｄ  ｔｉｍｅ  ｐｅｒｉｏｄ）が含まれてもよい。ガード期間中、選択されたターゲット・セルが再び選択されることはない。例えば、サービング・セルは移動体に対し、ＥＰ＿ＳＩＺＥ＝１１１と、未使用の値（例えば、１１）に設定されたＥＸＴ＿ＭＳＧ＿ＴＹＰＥとを含むＦ−ＰＤＣＣＨ制御チャネル・メッセージを送信し、移動体の現在のセル選択の取消しをネットワークが開始したことを示す。
【００２９】
図５は、本発明の第４の実施形態によるメッセージ・フロー図５００である。第４の実施形態は、移動体のサービング・セルが移動体にＦ−ＰＤＣＨデータ伝送サービスを提供しないことを、移動体のサービング・セルが移動体に示す実施形態である。
【００３０】
メッセージ５０１：移動体のＲ−ＣＱＩＣＨ伝送にはセルＡのＣＱＩが含まれる。ソースＢＳＣ（アンカーされたＳＤＵ）は、ベアラ接続を介してＰＤＳＮからセルＡへパケット・データを転送する。現在のサービング・セルＡは、Ｆ−ＰＤＣＨチャネルを介して移動体へパケット・データを送信する。
【００３１】
メッセージ５０２：サービング・セルＡは、もはや移動体のパケット・データ呼をサポートすることができないため、ソースＢＳＣに通知する。
メッセージ５０３：ネットワークは移動体に現在のサービング・セルＡの選択の中止をシグナリングし、ネットワークは、セルＡもＦ−ＰＤＣＨをサポートしないことを示すように変更した拡張アクティブセット記録［ＥＸＴ＿ＡＣＴＩＶＥ＿ＳＥＴ＿ＲＥＣＯＲＤ：ＦＯＲ＿ＰＤＣＨ＿ＩＮＣＬＡ＝０（ここで、ＦＯＲ＿ＰＤＣＨ＿ＩＮＣＬＡは、セルＡに対するフィールドである）］を含む、ユニバーサル・ハンドオフ・ディレクション・メッセージ（ＵＨＤＭ）を構築するか、又は、アクティブセットからセルＡを完全に取り除く。ＵＨＤＭは利用可能なＦ−ＤＳＣＨ順方向専用（ｄｅｄｉｃａｔｅｄ）信号チャネルを介して送信される。これには、セルＡのＦ−ＰＤＣＨと、アクティブセットの他のセルによる順方向基底チャネルとのうちの少なくとも一方が含まれ得る。これに代えて、移動体にＦ−ＰＤＣＨデータ伝送サービスを提供しないことを移動体に示すために、メッセージ４０４にて述べたようなシグナリングが用いられてもよい。例えば、サービング・セルは移動体に対し、ＥＰ＿ＳＩＺＥ＝１１１と、未使用の値（例えば、１１）に設定されたＥＸＴ＿ＭＳＧ＿ＴＹＰＥとを含むＦ−ＰＤＣＣＨ制御チャネル・メッセージを送信し、移動体の現在のセル選択の取消しをネットワークが開始したことを示す。
【００３２】
メッセージ５０４：ＭＳはセル選択を実行し、アクティブセットから別のセルを選択する。移動体は、Ｒ−ＣＱＩＣＨスイッチング・スロットにて、選択したセルのＣＱＩＣＨ＿ＣＯＶＥＲの送信を開始する。
【００３３】
メッセージ５０５：ソースＢＳＣは、現在のサービング・セルＡ及び選択されたターゲット・セルのうちの少なくとも一方により、セル選択を通知される。
メッセージ５０６：ソースＢＳＣはネットワーク・セル選択手続を開始する。ソースＢＳＣはターゲット・セルＢにセル選択をシグナリングし、ターゲット・セルＢはセル切替を認識する。
【００３４】
メッセージ５０７：サービング・セルＡは移動体にＦ−ＰＤＣＣＨ制御チャネル・メッセージを送信して、移動体にスイッチング・パターンを中断し、即座にターゲット・セルＢに切り替えることを要求してもよい（スイッチング・フレーム期間の完了の前に）。
【００３５】
メッセージ５０８：移動体はターゲット・セルＢに切り替え、ターゲット・セルＢのＣＱＩの送信を開始する（セルＢのＣＱＩＣＨ＿ＣＯＶＥＲが全てのスイッチング・スロットにて伝送される）。
【００３６】
メッセージ５０９：ソースＢＳＣ（ＳＤＵ）はターゲット・セルＢにパケット・データを送信し、ターゲット・セルはＦ−ＰＤＣＨを介して移動体にそのパケット・データを送信する。
【００３７】
既述の実施形態に加えて、代替又は追加の機能も以下に記載するが、本発明の実施形態はそれらに限定されない。
ターゲット・セルが追加のＦ＿ＰＤＣＨサービスを提供するために利用可能でないこと（例えば、過負荷状況等）を検出（メッセージその他により）すると、ソースＢＳは、ターゲットＢＳがＦ−ＰＤＣＨチャネルをサポートしないことを示すように変更した拡張アクティブセット記録（ターゲット・セルに対するＦＯＲ＿ＰＤＣＨ＿ＩＮＣＬは０に設定
される）を含む、ＩＳ−２０００ユニバーサル・ハンドオフ・ディレクション・メッセージ（ＵＨＤＭ）を高速動作時間にて生成する。ターゲット・セルは拡張アクティブセット記録に残され、逆方向基底チャネルと、存在する場合には任意の順方向基底チャネルとに必要なソフト・ハンドオフ・レグ（ｌｅｇ）をサポートする。
【００３８】
ターゲット・セルが追加のＦ−ＰＤＣＨサービスを提供するために利用可能となるとき、アンカーされたソースＢＳにその呼に対するＭＡＣ＿ＩＤを用いてシグナリングする。ソースＢＳは、ターゲットＢＳがＦ−ＰＤＣＨチャネルをサポートすることを示すように変更した拡張アクティブセット記録（ターゲット・セルに対するＦＯＲ＿ＰＤＣＨ＿ＩＮＣＬは１に設定される）を含む、ＩＳ−２０００ユニバーサル・ハンドオフ・ディレクション・メッセージ（ＵＨＤＭ）を生成する。必要な場合、ここで移動体がセル切替のターゲット・セルを選択してもよい。
【００３９】
ＭＳに対するアクティブセットを作成するとき、又は、呼に対するソフト・ハンドオフ（ＳＨＯ）レグが追加されるとき、ターゲットは、追加の呼をサポートするためのＦ−ＰＤＣＨ容量を有するか否かを、Ａ７シグナリング・リンクを介してソースＢＳに示す。この利用可能性情報はＵＨＤＭメッセージを介して、又はチャネル割当メッセージ（拡張チャネル割当メッセージ（ＥＣＡＭ）等）を介して、ＭＳに示される。このメッセージはセルがＦ−ＰＤＣＨをサポートしないことを示してもよく、セルがＭＳのアクティブセットの一部でないことを示してもよい。
【図面の簡単な説明】
【００４０】
【図１】本発明の複数の実施形態による移動体通信システムの図。
【図２】本発明の第１の実施形態によるメッセージ・フロー図。
【図３】本発明の第２の実施形態によるメッセージ・フロー図。
【図４】本発明の第３の実施形態によるメッセージ・フロー図。
【図５】本発明の第４の実施形態によるメッセージ・フロー図。
【図１】
2007506358.tif 000003
【図２】
2007506358.tif 000004
【図３】
2007506358.tif 000005
【図４】
2007506358.tif 000006
【図５】
2007506358.tif 000007
【国際調査報告】
2007506358.tif 000008
2007506358.tif 000009